(57)【要約】【課題】省電力化を図ることのできる冷蔵庫を提供する。【解決手段】居室内を除菌するイオン発生装置２１と、居室内の湿度を検知する湿度センサ５３とを備え、居室内の湿度が所定の湿度範囲内の場合に対して湿度範囲外の場合にイオン発生装置２１の放電量を多くして除菌力を強くしている。【選択図】図９
2014025643.tif 000002
【特許請求の範囲】
【請求項１】
居室内を除菌する除菌装置と、居室内の湿度を検知する湿度センサとを備え、
居室内の湿度が所定の湿度範囲内の場合に対して前記湿度範囲外の場合に前記除菌装置による除菌力を強くしたことを特徴とする冷蔵庫。
【請求項２】
居室内の温度を検知する温度センサをさらに備え、
前記湿度範囲外において、所定温度よりも高温の時に低温の時よりも前記除菌装置による除菌力を強くしたことを特徴とする請求項１に記載の冷蔵庫。
【請求項３】
前記湿度範囲内において、前記除菌装置を停止したことを特徴とする請求項１または請求項２に記載の冷蔵庫。
【請求項４】
居室内の人体を検知する人体センサをさらに備え、
前記湿度範囲外において、居室内の人体を検知した時に検知しない時よりも前記除菌装置の除菌力を強くしたことを特徴とする請求項１〜請求項３のいずれかに記載の冷蔵庫。
【請求項５】
前記人体センサは冷蔵庫本体の前面から居室内の人体までの距離を検知し、
前記前面に対して所定の距離内の領域に人体を検知した時には、前記領域の外に人体を検知した時よりも前記除菌装置による除菌力を強くしたことを特徴とする請求項４に記載の冷蔵庫。
【請求項６】
貯蔵物を貯蔵する貯蔵室の扉の開閉を検知する扉開閉センサをさらに備え、
前記湿度範囲外において、前記扉が開いた時に閉じた時よりも前記除菌装置による除菌力を強くしたことを特徴とする請求項１〜請求項５のいずれかに記載の冷蔵庫。
【請求項７】
居室内の空気中の塵埃量を検知する塵埃センサをさらに備え、
前記湿度範囲外において、居室内の空気中の塵埃量が多い時に少ない時よりも前記除菌装置による除菌力を強くしたことを特徴とする請求項１〜請求項６のいずれかに記載の冷蔵庫。
【請求項８】
居室内を除菌する除菌装置と、居室内の空気中の塵埃量を検知する塵埃センサとを備え、居室内の空気中の塵埃量が多い時に少ない時よりも前記除菌装置による除菌力を強くしたことを特徴とする冷蔵庫。
【請求項９】
前記除菌装置は放電によりイオンを発生するイオン発生装置であることを特徴とする請求項１〜請求項８のいずれかに記載の冷蔵庫。
【発明の詳細な説明】
【技術分野】
【０００１】
本発明は、居室内を除菌する除菌装置を備えた冷蔵庫に関する。
【背景技術】
【０００２】
従来の冷蔵庫は特許文献１に開示されている。冷蔵庫は上部に冷蔵室を有するとともに下部に冷凍室及び野菜室を有する。冷蔵庫の上下方向の中央部には居室内にイオンを送出するイオン送出ユニットが配置されている。イオン送出ユニットの前面側には吹出口が開口している。吹出口よりも後方には送風機が配され、送風機の吸気側にはイオン送出ユニット内に空気を吸い込む吸込口が形成されている。また、送風機の排気口から吹出口に向かって送風通路が設けられる。
【０００３】
イオン送出ユニットには送風通路にイオンを放出するイオン発生装置（除菌装置）が設けられている。また、冷蔵室の上方（冷蔵庫の上端部）の前面には赤外線センサから成る人体センサが設けられている。人体センサにより居室内の人体が検知される。そして、人体センサの検知結果に基づいてイオン発生装置の駆動が制御される。
【０００４】
上記構成の冷蔵庫において、人体センサにより人体が検知されると、イオン発生装置の駆動が開始されるとともに送風機の駆動が開始される。これにより、吸込口から空気が吸い込まれ、送風機から排気された空気は送風通路を流通する。
【０００５】
この時、イオン発生装置により送風通路内にイオンが放出される。これにより、送風通路を流通する空気にイオンが含まれ、吹出口から居室内にイオンを含んだ空気が送出される。
【０００６】
人が居室内を移動すると塵埃が舞い上がる。これにより、塵埃に含まれる細菌等の浮遊菌が空気中に浮遊する。そして、人が冷蔵室の扉を開けると、冷蔵室内に浮遊菌が侵入する。上記構成の冷蔵庫では、居室内に人体が存在する際にイオン発生装置を駆動させるためイオンにより居室内の浮遊菌を除菌し、冷蔵室内に侵入する浮遊菌を減らすことができる。
【０００７】
また、人体センサにより人体が検知されたときにイオン発生装置の駆動が開始されるので、人の不在時にイオン発生装置を停止して電力消費を抑えることができる。
【先行技術文献】
【特許文献】
【０００８】
【特許文献１】特開２００４−４４９８８号公報（第５頁、第６頁、第６図、第７図）
【発明の概要】
【発明が解決しようとする課題】
【０００９】
しかしながら、上記従来の冷蔵庫によると、人体により舞い上がった塵埃量が少ない場合や塵埃中に含まれる細菌等の浮遊菌の数が少ない場合、塵埃に含まれる浮遊菌が冷蔵庫内に侵入する可能性が低い。このため、冷蔵庫に侵入する浮遊菌の除菌に用いられない無駄なイオンが増加し、冷蔵庫の電力を浪費する問題があった。
【００１０】
本発明は、省電力化を図ることのできる冷蔵庫を提供することを目的とする。
【課題を解決するための手段】
【００１１】
上記目的を達成するために本発明の冷蔵庫は、居室内を除菌する除菌装置と、居室内の湿度を検知する湿度センサとを備え、居室内の湿度が所定の湿度範囲内の場合に対して前記湿度範囲外の場合に前記除菌装置による除菌力を強くしたことを特徴としている。
【００１２】
この構成によると、居室内の湿度が所定の湿度範囲（例えば、２０％〜８０％の範囲）外の場合には、湿度範囲内の場合よりも居室内が強力に除菌される。
【００１３】
また本発明は、上記構成の冷蔵庫において、居室内の温度を検知する温度センサをさらに備え、前記湿度範囲外において、所定温度よりも高温の時に低温の時よりも前記除菌装置による除菌力を強くしたことが好ましい。
【００１４】
この構成によると、居室内の温度が所定温度（例えば、２８℃）よりも高温の場合には低温の場合よりも居室内が強力に除菌される。
【００１５】
また本発明は、上記構成の冷蔵庫において、前記湿度範囲内において、前記除菌装置を停止したことが好ましい。
【００１６】
また本発明は、上記構成の冷蔵庫において、居室内の人体を検知する人体センサをさらに備え、前記湿度範囲外において、居室内の人体を検知した時に検知しない時よりも前記除菌装置の除菌力を強くしたことが好ましい。
【００１７】
また本発明は、上記構成の冷蔵庫において、前記人体センサは冷蔵庫本体の前面から居室内の人体までの距離を検知し、前記前面に対して所定の距離内の領域に人体を検知した時には、前記領域外に人体を検知した時よりも前記除菌装置による除菌力を強くしたことが好ましい。
【００１８】
この構成によると、冷蔵庫本体の前面に対して所定の距離内の領域に人が進入すると、領域外に人が存在する場合よりも居室内は強力に除菌される。
【００１９】
また本発明は、上記構成の冷蔵庫において、貯蔵物を貯蔵する貯蔵室の扉の開閉を検知する扉開閉センサをさらに備え、前記湿度範囲外において、前記扉が開いた時に閉じた時よりも前記除菌装置による除菌力を強くしたことが好ましい。この構成によると、扉が開かれると居室内はより強力に除菌される。
【００２０】
また本発明は、上記構成の冷蔵庫において、居室内の空気中の塵埃量を検知する塵埃センサをさらに備え、前記湿度範囲外において、居室内の空気中の塵埃量が多い時に少ない時よりも前記除菌装置による除菌力を強くしたことが好ましい。
【００２１】
また、本発明の冷蔵庫は、居室内を除菌する除菌装置と、居室内の空気中の塵埃量を検知する塵埃センサとを備え、居室内の空気中の塵埃量が多い時に少ない時よりも前記除菌装置による除菌力を強くしたことを特徴としている。この構成によると、居室内の空気中の塵埃量が多い場合には少ない場合よりも居室内はより強力に除菌される。
【００２２】
また本発明は、上記構成の冷蔵庫において、前記除菌装置は放電によりイオンを発生するイオン発生装置であることが好ましい。この構成によると、イオンによって居室内は除菌される。
【発明の効果】
【００２３】
本発明によると、居室内の湿度が所定の湿度範囲内の場合に対して湿度範囲外の場合に除菌装置による除菌力を強くしたので、居室内の空気中の浮遊菌の数に応じて除菌力を可変することができる。これにより、冷蔵庫の電力を節約することができる。従って、冷蔵庫の省電力化を図ることができる。
【図面の簡単な説明】
【００２４】
【図１】本発明の実施形態の冷蔵庫を示す正面図
【図２】本発明の実施形態の冷蔵庫を示す右側面断面図
【図３】本発明の実施形態の冷蔵庫のイオン送出ユニットを示す側面断面図
【図４】図１のＡ−Ａ断面図
【図５】本発明の実施形態の冷蔵庫のイオン送出ユニットに設けた送風機のハウジングを示す正面図
【図６】本発明の実施形態の冷蔵庫の人体センサによって人体の方向を検知する方法について説明するための平面図
【図７】本発明の実施形態の冷蔵庫の人体センサの検知領域について説明するための平面図
【図８】本発明の実施形態の冷蔵庫の構成を示すブロック図
【図９】本発明の実施形態の冷蔵庫のイオン送出ユニットの動作を示すフローチャート
【発明を実施するための形態】
【００２５】
＜第１実施形態＞
以下に本発明の実施形態を図面を参照して説明する。図１及び図２は一実施形態の冷蔵庫の正面図及び右側面断面図を示している。冷蔵庫１は上部に冷蔵室２を有する。冷蔵室２はそれぞれ右端及び左端を支点に回動する扉２ａ、２ｂにより開閉される。扉２ｂの前面には操作部７が設けられる。操作部７は使用者の操作によって冷蔵庫１の動作設定を行う。冷蔵室２の両側壁間には貯蔵物を載置する載置トレイ２ｃが配される。載置トレイ２ｃは冷蔵室２の両側壁に突設される支持部（不図示）上に橋架され、出し入れ可能になっている。
【００２６】
冷蔵室２の下方には製氷室３と第１冷凍室４とが左右に並設されている。製氷室３及び第１冷凍室４はそれぞれ扉３ａ、４ａにより開閉される。製氷室３及び第１冷凍室４の下方には扉５ａにより開閉される第２冷凍室５が配される。第２冷凍室５の容積は第１冷凍室４の容積よりも大きくなっている。第２冷凍室５の下方には扉６ａにより開閉される野菜室６が配される。
【００２７】
冷凍室５の後方には冷気通路１１が設けられ、冷気通路１１内には冷却器１４及び冷凍室送風機１５が配される。冷気通路１１には冷気の吐出口（不図示）及び冷却器１４に冷気を戻す戻り口（不図示）が設けられる。
【００２８】
冷蔵室２の後方には冷蔵室ダンパ（不図示）を介して冷気通路１１に連通する冷気通路１２が設けられる。冷気通路１２の両側面には冷気の吐出口（不図示）が開口する。冷蔵室２には野菜室６に連通する連通路（不図示）が導出される。野菜室６には冷却器１４の上流に冷気を戻す戻り通路（不図示）が導出される。
【００２９】
冷蔵庫１の上面１ａにはイオン送出ユニット２０が設けられる。イオン送出ユニット２０は筐体２０ａの前面に吹出口２５を有する。詳細を後述するように、イオン送出ユニット２０は吹出口２５から矢印Ｓで示すようにイオンを含んだ空気を居室内に送出する。    
【００３０】
また、イオン送出ユニット２０の筐体２０ａの前面の左右端部には人体センサ５１が設けられている。右側の人体センサ５１は扉２ａの近傍に配置されるとともに、左側の人体センサ５１は扉２ｂの近傍に配置される。人体センサ５１は、赤外線センサ、フレネルレンズ及び増幅回路から構成される（いずれも不図示）。赤外線センサは人体が放出する赤外線を検知する。フレネルレンズは赤外線センサに赤外線を集光する。増幅回路は赤外線センサの出力信号を増幅する。
【００３１】
赤外線センサの出力電圧は赤外線センサと人体との間の距離により変化する。例えば、赤外線センサと人体との間の距離が１ｍの時は赤外線センサの出力電圧が約５Ｖとなり、赤外線センサと人体との間の距離が２ｍの時は赤外線センサの出力電圧は約２．５Ｖとなる。これにより、冷蔵庫１の本体の前面（扉２ａ、２ｂ）と人体との間の距離を測定することができる。
【００３２】
人体センサ５１として、例えば明るさを検知する照度センサまたは音を検知する音センサ等を用いてもよい。また、発光素子に赤外発光ダイオードを用いるとともに、受光素子に位置検出素子（ＰＳＤ：Ｐｏｓｉｔｉｏｎ  Ｓｅｎｓｉｔｉｖｅ  Ｄｅｔｅｃｔоｒ）を用いた光学式センサを用いてもよい。
【００３３】
また、扉２ａ、２ｂの開閉をそれぞれ検知する扉開閉センサ５２（図８参照）が設けられる。扉開閉センサ５２は、リードスイッチ（不図示）と、リードスイッチを扉２ａ、２ｂの開閉に伴ってＯＮ／ＯＦＦさせるマグネット（不図示）とを備えている。リードスイッチは冷蔵室２の開口周縁部の内部に埋設されている。マグネットはリードスイッチに対向する位置で扉２ａ、２ｂの内部に埋設されている。
【００３４】
また、湿度センサ５３、温度センサ５４及び塵埃センサ５５が設けられる（いずれも図８参照）。湿度センサ５３は居室内の湿度（相対湿度）を検知する。温度センサ５４は居室内の温度を検知する。塵埃センサ５５は居室内の空気中の塵埃量を検知する。塵埃センサ５５は例えばＬＥＤ等の投光素子とフォトトランジスタ等の受光素子とを有する。そして、投光素子の出射光のうち塵埃で反射して受光素子に入射した光の量を測定することにより、塵埃センサ５５は塵埃量を検知する。
【００３５】
図３はイオン送出ユニット２０の側面断面図を示している。また、図４は図１のＡ−Ａ断面図を示している。イオン送出ユニット２０の筐体２０ａの背面側には後方から居室内の空気を取り入れる吸込口２４が形成される。吹出口２５の後方には送風機２２及び塵埃を捕集するフィルタ２３を内装したハウジング３０が配される。
【００３６】
筐体２０ａには送風機２２の排気口２２ｂから吹出口２５に至る送風通路２７が設けられる。送風通路２７は吹出口２５の近傍で前方へ行くほど左右方向に広がって形成されている。送風通路２７には送風機２２に近接した前方に圧力室２６が設けられる。圧力室２６の前方には送風通路２７にイオンを放出するイオン発生装置２１（除菌装置）が設けられている。詳細を後述するように、イオン発生装置２１は人体センサ５１、扉開閉センサ５２、湿度センサ５３、温度センサ５４及び塵埃センサ５５の検知結果に基づいて駆動が制御される。
【００３７】
圧力室２６は空気流入口２６ａ及び空気流出口２６ｂを有している。空気流出口２６ｂの下流側近傍には塵埃を捕集するフィルタ（不図示）が設けられている。空気流入口２６ａの幅は上流側に隣接する送風通路２７の幅に一致し、空気流出口２６ｂの幅は下流側に隣接する送風通路２７の幅に一致している。
【００３８】
圧力室２６の幅は空気流入口２６ａの幅及び空気流出口２６ｂの幅よりも大きくなっている。これにより、送風機２２の排気口２２ｂから排気して送風通路２７を流通する空気の流路面積が圧力室２６で拡大される。従って、動圧が静圧に変換される。そして、空気流出口２６ｂ付近で再度動圧に変換されるため、均一な速度の空気が流出する。
【００３９】
なお、圧力室２６の流路長が長い方が静圧に変換される空気量が増加する。そこで、圧力室２６の流路長を空気流入口２６ａの幅及び空気流出口２６ｂの幅よりも長くすると、空気流入口２６ａから流入した空気を確実に静圧に変換することができる。
【００４０】
本実施形態では、空気流出口２６ｂの下流側近傍に設けたフィルタによって通気抵抗が増加するため、圧力室２６の流路長が短くても充分動圧を静圧に変換することができるようになっている。従って、イオン送出ユニット２０の小型化を図ることができるとともに、フィルタによって送風による騒音を低減することができる。
【００４１】
イオン発生装置２１は電極から成るイオン発生面２１ａを送風通路２７に臨んで設けられている。イオン発生面２１ａに高圧の交流電圧が印加されると、コロナ放電によって印加電圧が正電圧の場合は主としてＨ+（Ｈ2Ｏ）ｍから成る電荷が正のクラスタイオンが生成され、イオン発生面２１ａから送風通路２７に放出される。印加電圧が負電圧の場合は主としてＯ2-（Ｈ2Ｏ）ｎから成る電荷が負のクラスタイオンが生成され、イオン発生面２１ａから送風通路２７に放出される。イオン発生面２１ａに正電圧及び負電圧を交互に印加することにより、プラスイオン及びマイナスイオンの両方を送風通路２７に放出することができる。ここで、ｍ、ｎは任意の自然数である。
【００４２】
Ｈ+（Ｈ2Ｏ）ｍ及びＯ2-（Ｈ2Ｏ）ｎは空気中の浮遊菌及び臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌及び臭い成分の表面上で凝集生成してこれらを破壊する。ここで、ｍ’、ｎ’は任意の自然数である。
【００４３】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ   ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４４】
従って、居室内にプラスイオンとマイナスイオンとを送出することによって浮遊菌の除菌を行うことができる。また、電極の印加電圧を制御して居室内にマイナスイオンを送出するとリラクゼーション効果を得ることができる。
【００４５】
吹出口２５にはイオンを含んだ空気の吹出方向を変更する風向板２８が複数設けられている。風向板２８は前後に延びた板状に形成されており、後端には上下に延びる軸部２８ａが形成されている。軸部２８ａは送風通路２７の上壁及び下壁に設けた嵌合孔（不図示）に嵌合され、風向板２８を枢支する。詳細を後述するように、風向板２８は制御部５０（図８参照）からの信号により回動して位置が可変される。これにより、吹出口２５から送出される空気の吹出方向が変更される。
【００４６】
図５はハウジング３０の正面断面図である。図５中の矢印は空気の流れを示している。送風機２２は吸気口２２ａから軸方向に吸気して排気口２２ｂから周方向に排気するシロッコファンから成っている。シロッコファンを用いることによってイオン送出ユニット２０の上下方向の幅を小さく構成することができる。すなわち、イオン送出ユニット２０の薄型化を図ることができる。
【００４７】
ハウジング３０の一方側方には吸込口２４に連通する開口部３０ａが形成される。フィルタ２３は開口部３０ａの近傍に配置され、フィルタ２３の下方から送風機２２の下面の吸気口２２ａに空気が導かれるようになっている。送風機２２の駆動によって開口部３０ａから流入する空気は矢印で示すようにフィルタ２３を上方から下方に通過し、吸気口２２ａから送風機２２に流入して排気口２２ｂから排気される。
【００４８】
図６は、人体センサ５１によって人体の方向を検知する方法について説明するための平面図を示している。まず、２つの人体センサ５１間の距離Ｄ１を予め記憶する。右側の人体センサ５１によって人体Ｈまでの距離Ｄ２が測定され、左側の人体センサ５１によって人体Ｈまでの距離Ｄ３が測定される。距離Ｄ１〜Ｄ３により冷蔵庫１に対する人体Ｈの左右方向の距離Ｄｘ、前後方向の距離Ｄｙ及び方向が導出される。人体Ｈの方向は例えば、左側の人体センサ５１と人体Ｈとを結ぶ線と冷蔵庫１の前面との成す角度θにより取得することができる。
【００４９】
図７は、人体センサ５１の検知領域について説明するための平面図を示している。冷蔵庫１の前方には人体センサ５１の検知領域である第１領域Ａ１及び第２領域Ａ２が設定される。詳細を後述するように、人体Ｈが第１領域Ａ１内に存在する場合には第１領域Ａ１の外に存在する場合よりもイオン発生装置２１は放電量が多い状態（除菌力が強い状態）で駆動される。
【００５０】
第１領域Ａ１は冷蔵庫１の本体の前面に対して所定の距離内の領域となっている。冷蔵庫１の正面に人体Ｈが存在する場合は正面以外に人体Ｈが存在する場合と比較して、冷蔵庫１の本体前面の扉２ａ、２ｂが開けられる可能性が高い。そして、扉２ａ、２ｂが開けられると、人体Ｈの動きによって空気中に舞い上がった細菌等の浮遊菌が冷蔵室２内に侵入する。そこで、第１領域Ａ１の左右方向の幅を冷蔵庫１の左右方向の幅に略一致させ、第１領域Ａ１の平面形状を矩形形状にしている。これにより、第１領域Ａ１は冷蔵庫１の中心Ｃに対する外縁Ａ１ａまでの距離が方向に応じて異なっている。従って、冷蔵庫１の正面近傍に人体Ｈが存在する際に居室内を強力に除菌できる。なお、第１領域Ａ１の冷蔵庫１に対する正面方向の幅は例えば１．５ｍに設定する。
【００５１】
第２領域Ａ２は冷蔵庫１の本体の前面に対して第１領域Ａ１よりも離れた領域となっている。第２領域Ａ２の大きさに特に限定はないが、冷蔵庫１に対する正面方向の幅を例えば２ｍに設定し、左右方向の幅を例えば３ｍに設定する。
【００５２】
図８は冷蔵庫１の構成を示すブロック図である。冷蔵庫１は各部を制御する制御部５０が操作部７（図１参照)の背面側に設けられる。制御部５０には、人体センサ５１、扉開閉センサ５２、湿度センサ５３、温度センサ５４及び塵埃センサ５５が接続されている。人体センサ５１、扉開閉センサ５２、湿度センサ５３、温度センサ５４及び塵埃センサ５５から制御部５０に入力される信号に基づいてイオン発生装置２１の駆動が制御される。また、人体センサ５１から制御部５０に入力される信号に基づいて風向板２８の位置が可変される。
【００５３】
上記構成の冷蔵庫１において、冷却器１４で生成された冷気は冷凍室送風機１５の駆動により冷気通路１１を流通して製氷室３、第１冷凍室４及び第２冷凍室５に送出される。該冷気は製氷室３、第１冷凍室４及び第２冷凍室５を流通し、戻り口を介して冷却器１４に戻る。これにより、製氷室３、第１冷凍室４及び第２冷凍室５が冷却され、貯蔵物及び氷が冷凍保存される。
【００５４】
冷蔵室ダンパ（不図示）の開成により冷気通路１１を流通する冷気の一部は冷気通路１２に導かれ、冷蔵室２に送出される。これにより、冷蔵室２が冷却され、貯蔵物が冷蔵保存される。冷蔵室２を流通した冷気は連通路（不図示）を介して野菜室６に流入し、野菜室６内を流通した後に冷却器１４に戻る。
【００５５】
図９は上記構成のイオン送出ユニット２０の動作を示すフローチャートを示している。冷蔵庫１の運転を開始すると、ステップ＃１では居室内の湿度ｈが２０％〜８０％の範囲（所定の湿度範囲）内にあるか否かが判断される。居室内の湿度ｈが２０％〜８０％の範囲内にない場合はステップ＃２に移行し、送風機２２の駆動が開始される。その後、ステップ＃３に移行する。
【００５６】
送風機２２が駆動されると吸込口２４からイオン送出ユニット２０内に居室内の空気が取り入れられ、フィルタ２３により塵埃が除去される。塵埃が除去された空気は吸気口２２ａを介して送風機２２に軸方向から流入して排気口２２ｂから周方向に排気される。送風機２２から排気された空気は空気流入口２６ａから圧力室２６に流入し、動圧が静圧に変換される。静圧に変換された空気は空気流出口２６ｂ近傍で再度動圧に変換され、送風通路２７に流出する。空気流出口２６ｂから流出した空気は送風通路２７内を左右方向に広がりながら流通する。
【００５７】
一方、居室内の湿度ｈが２０％〜８０％の範囲内にある場合には、ステップ＃９に移行し、送風機２２の駆動が開始される。その後、ステップ＃１０に移行し、イオン発生装置２１は例えば印加電圧が２ｋＶ、放電回数が３０回／秒の条件で駆動される。イオン発生装置２１が駆動されると、イオン発生面２１ａから送風通路２７内にイオンが放出される。これにより、送風通路２７を流通する空気にイオンが含まれ、イオンを含んだ空気が吹出口２５から居室内に送出される。従って、居室内を除菌することができる。
【００５８】
ステップ＃３では、居室内の温度ｔが２８℃よりも高温か否かが判断される。２８℃よりも低温の場合はステップ＃４に移行する。ステップ＃４では、居室内の空気中の塵埃量ｄが所定の上限値Ｄを超えたか否かが判断される。塵埃量ｄが上限値Ｄを超えていない場合には、ステップ＃５に移行する。なお、上限値Ｄは予め実験等により求めておくことが望ましい。
【００５９】
ステップ＃５では、第１領域Ａ１内に人体が存在するか否かが判断される。第１領域Ａ１内に人体が存在しない場合には、ステップ＃１１に移行し、イオン発生装置２１は例えば印加電圧が２ｋＶ、放電回数が５０回／秒の条件で駆動される。
【００６０】
居室内の湿度ｈが２０％よりも低い場合には塵埃が空気中に舞い上がりやすいため、塵埃に含まれる細菌等の浮遊菌が空気中に多く浮遊する。一方、居室内の湿度ｈが８０％よりも高い場合には塵埃は空気中に舞い上がりにくくなるが、塵埃中で細菌は増殖しやすくなる。このため、塵埃に含まれる細菌等の浮遊菌が空気中に多く浮遊する。すなわち、居室内の湿度ｈが２０％〜８０％の範囲外の場合には、範囲内の場合よりも空気中に浮遊菌が多く浮遊する。そこで、ステップ＃１では居室内の湿度ｈが２０％〜８０％の湿度範囲にあるか否かを判断している。そして、湿度範囲外の場合には湿度範囲内の場合よりもイオン発生装置２１の放電量を多くして除菌力を強くしている。なお、湿度範囲は２０％〜８０％の範囲に限られない。
【００６１】
ステップ＃３において、居室内の温度ｔが２８℃よりも高温の場合にはステップ＃１２に移行し、イオン発生装置２１は例えば印加電圧が２ｋＶ、放電回数が８０回／秒の条件で駆動される。
【００６２】
例えば食中毒菌のセレウス菌は塵埃等に存在し、増殖の至適温度は２８℃〜３５℃であることが知られている。そこで、ステップ＃３では居室内の温度ｔが２８℃を超えたか否かを判断している。そして、居室内の温度ｔが２８℃よりも高温の場合にはイオン発生装置２１の放電量を多くして除菌力を強くしている。なお、２８℃は一例であり、これに限られない。
【００６３】
ステップ＃４において、塵埃量ｄが上限値Ｄを超えたと判断された場合にはステップ＃１２に移行し、イオン発生装置２１は例えば印加電圧が２ｋＶ、放電回数が８０回／秒の条件で駆動される。これにより、居室内の空気中の塵埃量ｄが多い時にイオン発生装置２１の放電量を多くして除菌力を強くし、冷蔵庫１内への浮遊菌の侵入を確実に防止できる。
【００６４】
ステップ＃５において、第１領域Ａ１内に人体が存在すると判断された場合には、ステップ＃６に移行し、扉２ａ、２ｂの少なくとも一方が開かれたか否かが判断される。扉２ａ、２ｂが開かれていない場合には、ステップ＃１２に移行し、イオン発生装置２１は例えば印加電圧が２ｋＶ、放電回数が８０回／秒の条件で駆動される。これにより、居室内の人体を検知した時にイオン発生装置２１の放電量を多くして除菌力を強くし、冷蔵庫１内への浮遊菌の侵入を一層確実に防止できる。
【００６５】
一方、扉２ａ、２ｂの少なくとも一方が開かれた場合には、ステップ＃７に移行し、イオン発生装置２１は例えば印加電圧が２ｋＶ、放電回数が１００回／秒の条件で駆動される。これにより、扉２ａ、２ｂの少なくとも一方が開かれた時にイオン発生装置２１の放電量を多くして除菌力を強くし、冷蔵庫１内への浮遊菌の侵入を一層確実に防止できる。
【００６６】
その後、ステップ＃８に移行し、扉２ａ、２ｂが閉じられたか否かが判断される。扉２ａ、２ｂが閉じられた場合にはステップ＃１に戻る。一方、扉２ａ、２ｂが閉じられていない場合には閉じられるまで、イオン発生装置２１は放電回数１００回／秒の条件で駆動した状態で待機する。
【００６７】
なお、ステップ＃５において、第１領域Ａ１内に人体が存在すると判断された場合には、風向板２８の位置が可変されて人体の方向に向けて空気が吹出口２５から送出される。これにより、人が移動することによって舞い上がる塵埃に含まれる細菌等の浮遊菌を確実に除菌できる。従って、冷蔵室２内に侵入する浮遊菌を一層減らすことができる。
【００６８】
ステップ＃１０、＃１１及び＃１２の後には、ステップ＃１に戻り、ステップ＃１〜＃１〜１２が繰り返し行われる。
【００６９】
本実施形態によると、居室内を除菌するイオン発生装置２１（除菌装置）と、居室内の湿度ｈを検知する湿度センサ５３とを備え、居室内の湿度ｈが２０％〜８０％の範囲（所定の湿度範囲）内の場合に対して範囲外の場合にイオン発生装置２１の放電量を多くして除菌力を強くしている。これにより、居室内の空気中の浮遊菌の数に応じて除菌力を可変することができる。従って、冷蔵庫１に侵入する浮遊菌の除菌に用いられない無駄なイオンが減少し、冷蔵庫の電力を節約することができる。その結果、冷蔵庫の省電力化を図ることができる。
【００７０】
また、居室内の温度ｔを検知する温度センサ５４を備え、居室内の湿度ｈが２０％〜８０％の範囲外において、２８℃（所定温度）よりも高温の時に低温の時よりもイオン発生装置２１の放電量を多くして除菌力を強くしている。これにより、空気中の浮遊菌の増加に応じて除菌力を強くすることができる。従って、冷蔵庫１に侵入する浮遊菌を確実に除菌できる。
【００７１】
なお、ステップ＃９、＃１０において、送風機２２及びイオン発生装置２１を停止してもよい。これにより、電力を一層節約することができる。なお、居室内の湿度ｈが２０％〜８０％の範囲内の場合には範囲外の場合よりも居室内の空気中の浮遊菌は少ないので、送風機２２及びイオン発生装置２１を停止しても大きな問題とはならない。
【００７２】
また、居室内の人体を検知する人体センサ５１を備え、居室内の湿度ｈが２０％〜８０％の範囲外において、居室内の人体を検知した時に検知しない時よりもイオン発生装置２１の放電量を多くして除菌力を強くしている。これにより、人の移動により舞い上がった塵埃中の浮遊菌の数に応じて除菌力を強くすることができる。従って、冷蔵庫１内への浮遊菌の侵入を一層確実に防止できる。
【００７３】
また、人体センサ５１は冷蔵庫１の本体の前面から居室内の人体までの距離を検知し、冷蔵庫１近傍の第１領域Ａ１内に人体を検知した時には、第１領域Ａ１の外に人体を検知した時よりもイオン発生装置２１の放電量を多くして除菌力を強くしている。これにより、人が冷蔵庫１の近傍領域に進入すると居室内が強く除菌される。従って、冷蔵庫１内への浮遊菌の侵入を一層確実に防止できる。
【００７４】
また、扉２ａ、２ｂの開閉を検知する扉開閉センサ５２を備え、居室内の湿度ｈが２０％〜８０％の範囲外において、扉２ａ、２ｂの少なくとも一方が開いた時に閉じた時よりもイオン発生装置２１の放電量を多くして除菌力を強くしている。これにより、冷蔵庫１内への浮遊菌の侵入を一層確実に防止できる。
【００７５】
また、居室内の空気中の塵埃量ｄを検知する塵埃センサ５５を備え、居室内の湿度ｈが２０％〜８０％の範囲外において、居室内の空気中の塵埃量ｄが多い時に少ない時よりもイオン発生装置２１の放電量を多くして除菌力を強くしている。これにより、冷蔵庫１内への浮遊菌の侵入を一層確実に防止できる。
【００７６】
本実施形態において、除菌装置としてイオン発生装置２１を例に説明したが、除菌装置はイオン発生装置２１に限定されない。例えば、送風機の駆動により居室内の空気を吸込口から吸い込んで、次亜塩素酸を含有したフィルタを通過させた後に吹出口から居室内に送出する除菌ユニットを使用してもよい。これにより、居室内を除菌することができる。この時、例えば送風機の回転数を可変することにより、除菌力の強弱を変えることができる。また、イオン以外の除菌物質を居室内に放出する除菌装置であってもよい。
【００７７】
また、塵埃センサ５５を設ければ、湿度センサ５３を省いてもよい。すなわち、居室内を除菌するイオン発生装置２１（除菌装置）と、居室内の空気中の塵埃量ｄを検知する塵埃センサ５５とを備え、居室内の空気中の塵埃量ｄが多い時に少ない時よりもイオン発生装置２１の放電量を多くして除菌力を強くしてもよい。この場合でも、居室内の空気中の浮遊菌の数に応じて除菌力を可変することができる。従って、冷蔵庫１に侵入する浮遊菌の除菌に用いられない無駄なイオンが減少し、冷蔵庫の電力を節約することができる。その結果、冷蔵庫の省電力化を図ることができる。
【００７８】
また、扉３ａ、４ａ、５ａ、６ａにも扉開閉センサ５２を設けて、それぞれの扉開閉センサ５２から制御部５０に入力される信号に基づいてイオン発生装置２１の駆動が制御されてもよい。これにより、冷蔵室２以外の貯蔵室に侵入する浮遊菌を減らすことができる。
【００７９】
また、本実施形態において、居室内の温度ｔが２８℃よりも高温の場合（ステップ＃３のＹＥＳ）、居室内の空気中の塵埃量ｄが上限値Ｄよりも多い場合（ステップ＃４のＹＥＳ）、及び扉２ａ、２ｂが開かれていない場合（ステップ＃６のＮＯ）にイオン発生装置２１の放電回数は同じだが（ステップ＃１２）、異なってもよい。
【００８０】
また、本実施形態において、イオン発生装置２１の放電量を放電回数によって可変しているが、印加電圧の増減により可変してもよい。
【００８１】
また、人体センサ５１は冷蔵庫１の上下方向（高さ方向）の範囲を検知できるようにしてもよい。これにより、例えば貯蔵物を野菜室６に出し入れするために屈んでいる人も確実に検知できる。
【００８２】
また、冷蔵庫１の上面１ａに加えて、冷気通路１２や冷蔵室２内にもイオン送出ユニット２０を設けてもよい。これにより、冷気通路１２や冷蔵室２内を除菌することができる。また、冷蔵室２以外の貯蔵室、例えば野菜室６にイオン送出ユニット２０を設けてもよい。
【産業上の利用可能性】
【００８３】
本発明は、居室内を除菌する除菌装置を備えた冷蔵庫に利用することができる。
【符号の説明】
【００８４】
１    冷蔵庫
２    冷蔵室
２ａ、２ｂ、３ａ、４ａ、５ａ、６ａ  扉
３    製氷室
４    第１冷凍室
５    第２冷凍室
６    野菜室
７    操作パネル
１１、１２  冷気通路
１４    冷却器
１５    冷凍室送風機
２０    イオン送出ユニット
２０ａ  筐体
２１    イオン発生装置（除菌装置）
２１ａ  イオン発生面
２２    送風機
２３    フィルタ
２４    吸込口
２５    吹出口
２６    圧力室
２６ａ  空気流入口
２６ｂ  空気流出口
２７    送風通路
２８    風向板
３０    ハウジング
５０    制御部
５１    人体センサ
５２    扉開閉センサ
５３    湿度センサ
５４    温度センサ
５５    塵埃センサ
【図１】
2014025643.tif 000003
【図２】
2014025643.tif 000004
【図３】
2014025643.tif 000005
【図４】
2014025643.tif 000006
【図５】
2014025643.tif 000007
【図６】
2014025643.tif 000008
【図７】
2014025643.tif 000009
【図８】
2014025643.tif 000010
【図９】
2014025643.tif 000011